(57)【要約】【課題】回路規模及び消費電流を削減することが可能なデジタルカメラを提供する。【解決手段】移動可能な撮影レンズ１ａと、撮像素子１ｂと、撮像素子１ｂを駆動する駆動部４とを有するデジタルカメラ１００であって、デジタルカメラ１００のデジタル信号処理部６は、所定周期のパルスを出力する周期カウンタ６１と、周期カウンタ６１から出力されるパルスのＤｕｔｙ比を決定し、ＡＦ時に撮影レンズ１ａを移動させるための駆動パルスとして出力する第１のＤｕｔｙ比決定カウンタ６２と、周期カウンタ６１から出力されるパルスのＤｕｔｙ比を決定し、撮像素子１ｂの駆動タイミングを決定する同期信号として出力する第２のＤｕｔｙ比決定カウンタ６３とを備える。【選択図】図２
2006319657.tif 000002
【特許請求の範囲】
【請求項１】
移動可能なレンズと、撮像素子と、前記撮像素子を駆動する駆動手段とを有するデジタルカメラであって、
所定周期のパルスを出力する周期カウンタと、
前記周期カウンタから出力されるパルスのＤｕｔｙ比を決定し、前記レンズを移動させるための駆動パルスとして出力する第１のＤｕｔｙ比決定カウンタと、
前記周期カウンタから出力されるパルスのＤｕｔｙ比を決定し、前記撮像素子の駆動タイミングを決定する同期信号として出力する第２のＤｕｔｙ比決定カウンタとを備えるデジタルカメラ。
【請求項２】
請求項１記載のデジタルカメラであって、
前記レンズは、オートフォーカス時に移動させる撮影レンズであるデジタルカメラ。
【請求項３】
請求項１記載のデジタルカメラであって、
前記レンズは、光学ズーム時に移動させるズームレンズであるデジタルカメラ。
【発明の詳細な説明】
【技術分野】
【０００１】
本発明は、移動可能なレンズと、撮像素子と、前記撮像素子を駆動する駆動手段とを有するデジタルカメラに関する。
【背景技術】
【０００２】
一般に、デジタルカメラは、オートフォーカス用やズーム用等の移動可能なレンズと、撮像素子と、前記撮像素子を駆動する駆動手段とを有している（例えば特許文献１参照）。
【０００３】
このようなデジタルカメラには、オートフォーカス時にレンズを移動させる際に用いる駆動パルスを生成する回路と、撮像素子の駆動タイミングを決定するための同期信号（垂直同期信号と水平同期信号を含む）を生成する回路とが設けられている。駆動パルスを生成する回路は、所定周期のパルスを出力する周期カウンタと、この周期カウンタから出力されるパルスのＤｕｔｙ比を決定するＤｕｔｙ比決定カウンタとを有し、同期信号を生成する回路は、上記周期カウンタとは別の周期カウンタと、この周期カウンタから出力されるパルスのＤｕｔｙ比を決定するＤｕｔｙ比決定カウンタとを有している。
【０００４】
【特許文献１】特開２００４−１５１１８３号公報
【発明の開示】
【発明が解決しようとする課題】
【０００５】
上記従来のデジタルカメラは、駆動パルスと同期信号を生成するために４つのカウンタが必要であり、回路規模が大きくなってしまうと共に、消費電流が大きくなってしまう。
【０００６】
本発明は、上記事情に鑑みてなされたものであり、回路規模及び消費電流を削減することが可能なデジタルカメラを提供することを目的とする。
【課題を解決するための手段】
【０００７】
本発明のデジタルカメラは、移動可能なレンズと、撮像素子と、前記撮像素子を駆動する駆動手段とを有するデジタルカメラであって、所定周期のパルスを出力する周期カウンタと、前記周期カウンタから出力されるパルスのＤｕｔｙ比を決定し、前記レンズを移動させるための駆動パルスとして出力する第１のＤｕｔｙ比決定カウンタと、前記周期カウンタから出力されるパルスのＤｕｔｙ比を決定し、前記撮像素子の駆動タイミングを決定する同期信号として出力する第２のＤｕｔｙ比決定カウンタとを備える。
【０００８】
この構成により、周期カウンタの数を減らすことができ、回路規模削減及び消費電力削減が可能となる。
【０００９】
本発明のデジタルカメラは、前記レンズがオートフォーカス時に移動させる撮影レンズである。
【００１０】
本発明のデジタルカメラは、前記レンズが光学ズーム時に移動させるズームレンズである。
【発明の効果】
【００１１】
本発明によれば、回路規模及び消費電流を削減することが可能なデジタルカメラを提供することができる。
【発明を実施するための最良の形態】
【００１２】
以下、本発明の実施形態について図面を参照して説明する。
【００１３】
図１は、本発明の実施形態を説明するためのデジタルカメラの概略構成を示す図である。
図１のデジタルカメラは、撮像部１と、アナログ信号処理部２と、Ａ／Ｄ変換部３と、駆動部４と、レンズ駆動部５と、デジタル信号処理部６と、圧縮／伸張処理部７と、表示部８と、システム制御部９と、内部メモリ１０と、メディアインタフェース１１と、記録メディア１２と、操作部１３とを備える。デジタル信号処理部６、圧縮／伸張処理部７、表示部８、システム制御部９、内部メモリ１０、及びメディアインタフェース１１は、システムバス１４に接続されている。
【００１４】
撮像部１は、オートフォーカス（ＡＦ）時に移動させることが可能な撮影レンズ１ａを含む光学系と、ＣＣＤイメージセンサ等の撮像素子１ｂとによって被写体の撮影を行うものであり、アナログの撮像信号を出力する。アナログ信号処理部２は、撮像部１で得られた撮像信号に所定のアナログ信号処理を施す。Ａ／Ｄ変換部３は、アナログ信号処理部２で処理後のアナログ信号をデジタル信号に変換する。
【００１５】
レンズ駆動部５は、デジタル信号処理部６で生成されたＰＷＭ駆動パルスにしたがって撮影レンズ１ａを駆動して、撮影レンズ１ａを合焦位置に移動させる。
【００１６】
撮影に際しては、レンズ駆動部５を介して撮影レンズ１ａの駆動が行われて焦点調節が行われると共に、駆動部４を介して撮像素子１ｂの駆動が行われる。撮像素子として利用されるＣＣＤイメージセンサ等の固体撮像素子は、半導体基板表面に行方向とこれに直交する列方向に配設された複数の光電変換領域を有し、入射光に対応して発生され、蓄積された信号電荷に基づいたアナログ電圧信号を出力する。固体撮像素子は、操作部１３の一部であるレリーズボタン（図示せず）の操作によるレリーズスイッチ（図示せず）オンを契機として、所定のタイミングで、駆動部４に含まれるタイミングジェネレータ（図１ではＴＧと記載）からの駆動パルスによって駆動される。駆動部４は、デジタル信号処理部６から出力される垂直同期信号及び水平同期信号にしたがったタイミングで駆動パルスを出力する。
【００１７】
デジタル信号処理部６は、Ａ／Ｄ変換部３からのデジタル画像データに対して、操作部１３によって設定された動作モードに応じたデジタル信号処理を行う。デジタル信号処理部６が行う処理には、黒レベル補正処理（ＯＢ処理）、リニアマトリクス補正処理、ホワイトバランス調整処理、ガンマ補正処理、画像合成処理、同時化処理、及びＹ／Ｃ変換処理等が含まれる。デジタル信号処理部６は、例えばＤＳＰで構成される。デジタル信号処理部６は、ＰＷＭ駆動パルスと垂直同期信号及び水平同期信号との生成も行う。
【００１８】
圧縮／伸張処理部７は、デジタル信号処理部６で得られたＹ／Ｃデータに対して圧縮処理を施すとともに、記録メディア１２から得られた圧縮画像データに対して伸張処理を施す。
【００１９】
表示部８は、例えばＬＣＤ表示装置を含んで構成され、撮影されてデジタル信号処理を経た画像データに基づく画像を表示する。記録メディアに記録された圧縮画像データを伸張処理して得た画像データに基づく画像の表示も行う。また、撮影時のスルー画像、デジタルカメラの各種状態、操作に関する情報の表示等も可能である。
【００２０】
内部メモリ１０は、例えばＤＲＡＭであり、デジタル信号処理部６やシステム制御部９のワークメモリとして利用される他、記録メディアに１２に記録される撮影画像データを一時的に記憶するバッファメモリや表示部８への表示用画像データのバッファメモリとしても利用される。メディアインタフェース１１は、メモリカード等の記録メディア１２との間のデータの入出力を行うものである。
【００２１】
システム制御部９は、所定のプログラムによって動作するプロセッサを主体に構成され、撮影動作を含むデジタルカメラ全体の統括制御を行う。システム制御部９は、自動焦点調節機能を有しており、Ａ／Ｄ変換部３から得られた画像データに基づいて合焦位置を決定し、決定した合焦位置に撮影レンズ１ａを移動させる制御をＰＷＭ制御によって行う。具体的には、レンズ駆動部５に撮影レンズ１ａを合焦位置に移動させるためのＰＷＭ駆動パルスを入力して、レンズ駆動部５に撮影レンズ１ａの移動を行わせる。このＰＷＭ駆動パルスは、デジタル信号処理部６で生成されて出力される。
【００２２】
操作部１３は、デジタルカメラ使用時の各種操作を行うものである。
【００２３】
図２は、図１に示すデジタル信号処理部６内部の概略構成を示すブロック図である。
図２に示すように、デジタル信号処理部６は、所定周期のパルスを出力する周期カウンタ６１と、周期カウンタ６１から出力されるパルスのＤｕｔｙ比を決定して垂直同期信号及び水平同期信号として出力するＤｕｔｙ比決定カウンタ６２と、周期カウンタ６１から出力されるパルスのＤｕｔｙ比を決定してＰＷＭ駆動パルスとして出力するＤｕｔｙ比決定カウンタ６３とを備えている。Ｄｕｔｙ比決定カウンタ６２及びＤｕｔｙ比決定カウンタ６３は、それぞれ例えば図２に示すようなパルスとなるように異なるＤｕｔｙ比を決定することで、同一周期のパルスから異なるパルスを生成して出力する。Ｄｕｔｙ比決定カウンタ６２及びＤｕｔｙ比決定カウンタ６３それぞれに設定されるＤｕｔｙ比は、デジタルカメラ１００の動作（撮像素子１ｂからの信号の読み出し動作、ＡＦ動作）に応じた値が例えばシステム制御部９によって設定される。
【００２４】
以上のように、デジタルカメラ１００によれば、垂直同期信号及び水平同期信号とＰＷＭ駆動パルスとを、１つの周期カウンタ６１を用いて生成する構成にしたため、従来に比べて周期カウンタの数を減らすことができ、回路規模及び消費電力の削減とコスト削減が可能となる。
【００２５】
尚、本実施形態では、垂直同期信号及び水平同期信号とＰＷＭ駆動パルスを生成する回路をデジタル信号処理部６内に設けているが、これらはデジタルカメラ１００内部に設けてあれば良く、その場所は特に限定されない。
【００２６】
又、本実施形態では、上述したＤｕｔｙ比決定カウンタ６３によって生成したＰＷＭ駆動パルスによって、ＡＦ時に撮影レンズ１ａを移動させる制御を行っているが、撮像部１内にズームレンズが設けられており、このズームレンズがＰＷＭ制御可能なものであれば、上述したＤｕｔｙ比決定カウンタ６３によって生成したＰＷＭ駆動パルスによって、該ズームレンズを駆動させることも可能である。
【図面の簡単な説明】
【００２７】
【図１】本発明の実施形態を説明するためのデジタルカメラの概略構成を示す図
【図２】図１に示すデジタル信号処理部内部の概略構成を示すブロック図
【符号の説明】
【００２８】
１  撮像部
２  アナログ信号処理部
３  Ａ／Ｄ変換部
４  駆動部
５  レンズ駆動部
６  デジタル信号処理部
７  圧縮／伸張処理部
８  表示部
９  システム制御部
１０  内部メモリ
１１  メディアインタフェース
１２  記録メディア
１３  操作部
１４  システムバス
６１  周期カウンタ
６２，６３  Ｄｕｔｙ比カウンタ
【図１】
2006319657.tif 000003
【図２】
2006319657.tif 000004